(57)【要約】      （修正有）【課題】原稿を読み取って得られる画像データをＵＳＢメモリ等の着脱可能なフラッシュメモリへファイル出力する場合に、ユーザが原稿の読み取り動作が終了した時点でフラッシュメモリを取り外し、原稿を置き忘れて放置してしまうことを防止する。【解決手段】画像処理装置２０は、原稿台に載置された原稿を読み取って画像データを生成する読取手段と、原稿が原稿台から除去されたことの示唆を検知する検知手段を備えている。読取手段によって原稿が読み取られたのちに、原稿の置き忘れを示唆する置き忘れ示唆情報をＵＳＢメモリ１０に生成する。前記検知手段によって原稿の除去の示唆が検知されたならば、外部記録媒体から前記置き忘れ示唆情報を消去すると共に、画像データに画像ファイル名を付与してＵＳＢメモリ１０へ生成し格納する。【選択図】図１
2011160263.tif 000002
【特許請求の範囲】
【請求項１】
原稿を載置する原稿台と、
前記原稿台上に載置された前記原稿を読み取って画像データを生成する読取手段と、
前記読取手段で読み取られた前記原稿が前記原稿台上から除去されたことの示唆である除去示唆情報を検知する検知手段と、
前記読取手段によって前記原稿が読み取られたのちに、前記原稿台上に載置された前記原稿の置き忘れを示唆する置き忘れ示唆情報を生成する置き忘れ示唆情報生成手段と、
前記検知手段によって前記除去示唆情報が検知されたならば、前記置き忘れ示唆情報を消去する置き忘れ示唆情報消去手段と、
前記画像データに画像ファイル名を付与して外部記憶媒体へ生成し格納する画像格納手段と、
を備えたことを特徴とする画像処理装置。
【請求項２】
前記原稿台は、
載置された前記原稿を覆う開閉自在の原稿カバーと、
前記原稿カバーの開閉を検知する開閉検知センサと、を有し、
前記検知手段は、
前記開閉検知センサによって前記原稿カバーの開閉が検知されたことにより、前記除去示唆情報を検知することを特徴とする請求項１記載の画像処理装置。
【請求項３】
前記原稿台は、
載置された前記原稿の有無を検知する原稿センサを有し、
前記検知手段は、
前記原稿センサによって前記原稿が検知されなくなったことにより、前記除去示唆情報を検知することを特徴とする請求項１記載の画像処理装置。
【請求項４】
前記置き忘れ示唆情報生成手段は、
前記読取手段によって前記原稿を読み取ったのちに、前記原稿台上に載置された前記原稿の置き忘れを示唆する置き忘れ示唆ファイルを前記外部記憶媒体に生成して格納し、
前記置き忘れ示唆情報消去手段は、
前記検知手段によって前記除去示唆情報が検知されたならば、前記置き忘れ示唆ファイルを前記外部記憶媒体から消去することを特徴とする請求項１〜３のいずれか１項に記載の画像処理装置。
【請求項５】
請求項４に記載の画像処理装置において、
前記置き忘れ示唆ファイルには、
前記画像処理装置の個体識別情報や設置場所情報、前記原稿の読取サイズや枚数を記録していることを特徴とする画像処理装置。
【請求項６】
前記置き忘れ示唆情報生成手段は、
前記読取手段によって前記原稿が読み取られたのちに、前記外部記憶媒体にダミーアクセスを開始し、
前記置き忘れ示唆情報消去手段は、
前記検知手段によって前記除去示唆情報が検知されたならば、前記外部記憶媒体へのダミーアクセスを停止することを特徴とする請求項１〜３のいずれか１項に記載の画像処理装置。
【請求項７】
前記置き忘れ示唆情報生成手段は、
前記読取手段によって前記原稿を読み取ったのちに、前記画像データを、前記原稿台上に載置された前記原稿の置き忘れを示唆する置き忘れ示唆ファイル名を付与して前記外部記憶媒体に生成し、
前記置き忘れ示唆情報消去手段は、
前記検知手段によって前記除去示唆情報が検知されたならば、前記画像データの前記置き忘れ示唆ファイル名を、前記画像ファイル名に変更することを特徴とする請求項１〜３のいずれか１項に記載の画像処理装置。
【請求項８】
前記画像格納手段は、
前記検知手段によって前記除去示唆情報が検知されたならば、
前記画像データに前記画像ファイル名を付与して前記外部記憶媒体へ生成し格納することを特徴とする請求項１〜３のいずれか１項に記載の画像処理装置。
【発明の詳細な説明】
【技術分野】
【０００１】
本発明は、原稿の読み取りを行い、画像データをファイル出力する機能を有する画像処理装置に関するものである。
【背景技術】
【０００２】
従来、画像処理装置では、原稿を読み取って得られる画像データを印刷出力する機能において、ユーザが原稿台にセットした原稿の置き忘れを防ぐために、原稿の読み取りが終了した後に原稿が取り除かれたことを確認してから印刷出力を開始するという技術が知られている。
【０００３】
特許文献１には、利用者が原稿を原稿搬送装置にセットして全ての原稿の読み取りが終了したとき原稿搬送装置における原稿の有無を判断し、原稿有りが検出されると印刷せず警告が発せられ、原稿無しが検出されると印刷が開始される技術が記載されている。
【先行技術文献】
【特許文献】
【０００４】
【特許文献１】特開２００８−１７１９３号公報
【発明の概要】
【発明が解決しようとする課題】
【０００５】
しかしながら、従来の画像処理装置では、原稿を読み取って得られる画像データを、ＵＳＢ（Universal  Serial  Bus）メモリ等の着脱可能なフラッシュメモリへファイル出力する場合には、ユーザは原稿の読み取り動作が終了した時点でフラッシュメモリを取り外して原稿を置き忘れてしまうという課題があった。
【課題を解決するための手段】
【０００６】
本発明の画像処理装置は、原稿を載置する原稿台と、前記原稿台上に載置された前記原稿を読み取って画像データを生成する読取手段と、前記読取手段で読み取られた前記原稿が前記原稿台上から除去されたことの示唆である除去示唆情報を検知する検知手段と、前記読取手段によって前記原稿が読み取られたのちに、前記原稿台上に載置された前記原稿の置き忘れを示唆する置き忘れ示唆情報を生成する置き忘れ示唆情報生成手段と、前記検知手段によって前記除去示唆情報が検知されたならば、前記置き忘れ示唆情報を消去する置き忘れ示唆情報消去手段と、前記画像データに画像ファイル名を付与して外部記憶媒体へ生成し格納する画像格納手段と、を備えたことを特徴とする。
【発明の効果】
【０００７】
本発明の画像処理装置によれば、原稿台にセットした原稿を取り除かないで外部記憶媒体を取り外した場合には、外部記憶媒体には所望の画像ファイルは得られず、代わりに、例えば、ファイル名「原稿台に原稿が置かれています.txt」のテキストファイルが残るので、ユーザによって速やかに置き忘れ原稿の回収が行われるという効果が期待できる。
【図面の簡単な説明】
【０００８】
【図１】図１は、本発明の実施例１を示す図２の画像処理装置における概略の回路構成図である。
【図２】図２は、本発明の実施例１における画像処理装置の全体を示す斜視図である。
【図３】図３は、図２の画像処理装置における読取部を示す部分的な断面図である。
【図４】図４は、図１のＵＳＢメモリを示す斜視図である。
【図５】図５は、図２の画像処理装置の操作パネルを示す図である。
【図６】図６は、図５の操作画面におけるスキャンｔｏＵＳＢメモリへの画面遷移の例を示す図である。
【図７】図７は、図５の操作画面におけるスキャンｔｏＵＳＢメモリの画面遷移の例を示す図である。
【図８】図８は、図１のＵＳＢメモリに格納されたファイル名の例を示す図である。
【図９】図９は、本発明の実施例１における画像処理装置の動作を示すフローチャートである。
【図１０】図１０は、本発明の実施例２を示す画像処理装置における概略の回路構成図である。
【図１１】図１１は、本発明の実施例２における画像処理装置の動作を示すフローチャートである。
【図１２】図１２は、本発明の実施例３を示す画像処理装置における概略の回路構成図である。
【図１３】図１３は、本発明の実施例３における画像処理装置の動作を示すフローチャートである。
【図１４】図１４は、本発明の実施例４におけるＵＳＢメモリに格納されたファイル名の例を示す図である。
【図１５】図１５は、本発明の実施例４における画像処理装置の動作を示すフローチャートである。
【発明を実施するための形態】
【０００９】
本発明を実施するための形態は、以下の好ましい実施例の説明を添付図面と照らし合わせて読むと、明らかになるであろう。但し、図面はもっぱら解説のためのものであって、本発明の範囲を限定するものではない。
【実施例１】
【００１０】
（実施例１の構成）
図２は、本発明の実施例１における画像処理装置の全体を示す斜視図である。
【００１１】
画像処理装置２０は、例えば、プリンタ機能、スキャナ機能、複写機能、及びファクシミリ（以下「Ｆａｘ」という。）機能等の複数の機能を有するＭＦＰ（Multi  Function  Printer/Product/Peripheral）であり、載置された原稿を読み取る読取部２４と、この読取部２４の上部に配置された原稿台３０と、この原稿台３０の上に載置された原稿を覆う開閉自在の原稿カバー３１と、この原稿カバー３１の上部に設置され、原稿を一枚ずつ自動で送る自動原稿送り装置３２と、操作パネル４０と、着脱可能な外部記憶媒体（例えば「ＵＳＢメモリ」）１０を接続するためのＵＳＢポート２９とを有し、更に用紙等の記録媒体への印刷を行う画像形成部３３を有している。原稿カバー３１は、ユーザによる開閉が行われる。原稿カバー３１が開いた状態においては、載置された原稿を原稿台３０から除去できるが、原稿カバー３１が閉じた状態においては、載置された原稿は原稿台３０からは除去できない。
【００１２】
図３は、図２の画像処理装置における読取部を示す部分的な断面図である。
画像処理装置２０における読取部２４は、自動原稿送り装置３２を備えた原稿カバー３１の下の原稿台３０の直下に配置されており、読取ヘッド５０と、この読取ヘッド５０を図３の左右方向に移動させて原稿の画像を読み取る図示しない駆動機構を備えている。
【００１３】
読取ヘッド５０は、光源５１と、この光源５１から発した光を反射する２つのミラー５２，５３と、このミラー５３からの光を受けて光学像を形成するためのレンズ５４と、この光学像を読み取るための電荷結合素子（以下、「ＣＣＤ」という。）センサ５５とを備えている。
【００１４】
図１は、本発明の実施例１を示す図２の画像処理装置における概略の回路構成図である。
【００１５】
画像処理装置２０は、この画像処理装置２０の全体の制御を行う中央処理装置（以下「ＣＰＵ」という。）等で構成された制御部２１と、操作パネル４０の制御を行い、ユーザにより特定の操作が行われたことを制御部２１へ通知する操作部２２と、原稿台３０に置かれた原稿を読み取って中間画像データを生成する読取部２４と、この読取部２４が生成した中間画像データをもとにＰＤＦ（登録商標）（Portable  Document  Format）、ＴＩＦＦ（Tagged  Image  File  Format）、ＪＰＥＧ（Joint  Photographic  Experts  Group）等の指定のファイル形式の画像ファイルを生成するファイル生成部２５と、ＵＳＢポート２９に接続されたＵＳＢメモリ１０とのデータ通信を行う通信部２６とを有している。更に、この画像処理装置２０は、ユーザにより原稿カバー３１の開閉操作が行われたことを制御部２１へ通知する原稿カバー開閉検出部２７と、ＲＡＭ（Random  Access  Memory）等の揮発性記憶媒体で構成され、前記中間画像データや画像ファイル等の種々のデータを格納するメモリ部２８と、画像処理装置２０におけるユーザインタフェースを司る操作パネル４０と、用紙等の記録媒体への印刷を行う画像形成部３３とを有している。
【００１６】
図４は、図１のＵＳＢメモリを示す斜視図である。
ＵＳＢメモリ１０は、ＵＳＢポート２９に挿入されたときの電気的かつ機械的な接続を行うＵＳＢ端子１１と、ＵＳＢメモリ１０へのデータの読み書き中に点灯し、点灯によって挿抜しないように警告するアクセスランプ１２とを備えている。
【００１７】
図５は、図２の画像処理装置の操作パネルを示す図である。
操作パネル４０は、各種設定項目や装置状態を表示するための表示装置４１と、文字や数値を入力するための文字入力ボタン４２と、各種設定メニューを選択して次画面に移るための移動／選択ボタン４３と、コピー、スキャン、又はＦａｘを開始するためのスタートボタン４４と、設定や実行中の動作を中断するためのストップボタン４５とを備えている。
【００１８】
図６は、図５の操作画面におけるスキャンｔｏＵＳＢメモリへの画面遷移の例を示す図である。
【００１９】
画像処理装置２０は、電源投入直後の状態と待機状態において、操作パネル４０上の表示装置４１に機能選択メニュー６０を表示しており、ユーザの移動／選択ボタン４３の操作により、対応する各項目の詳細メニュー画面へ遷移する。
【００２０】
機能選択メニュー６０では、最上位行に「機能選択」が表示された下に「コピー」、「スキャン」、「Ｆａｘ」、「メニュー」項目が表示されている。選択中の項目は黒の矩形で表され、移動／選択ボタン４３の上方向移動ボタンを押すと選択中の項目の１つ上の項目が新たに選択中となり、下方向移動ボタンを押すと選択中の項目の１つ下の項目が新たに選択中となる。選択ボタンを押すと選択中に係る動作を実行する。「コピー」を選択すると「コピーＴｏメニュー」へ遷移し、「スキャン」を選択すると「スキャンＴｏメニュー６１」へ遷移し、「Ｆａｘ」を選択すると「ＦＡＸ  Ｔｏメニュー」へ遷移し、「メニュー」を選択すると「機能設定メニュー」へ遷移する。
【００２１】
機能選択メニュー６０で「スキャン」を選択して「スキャンＴｏメニュー」へ遷移した場合には、新たにスキャンＴｏメニュー６１が表示され、最上位行に「スキャンＴｏ」が表示された下に「Ｅメール」、「ＵＳＢメモリ」、「ネットワークＰＣ」、「ＰＣ」項目が表示されている。ここで、「Ｅメール」は、電子メールの略称であり、「ＰＣ」は、パーソナルコンピュータの略称である。選択中の項目は黒の矩形で表される事と、移動／選択ボタン４３の上方向移動ボタンと下方向移動ボタンの機能は機能選択メニュー６０と同様である。「Ｅメール」を選択すると「スキャンＴｏＥメールメニュー」へ遷移し、「ＵＳＢメモリ」を選択すると「スキャンＴｏＵＳＢメモリメニュー６２」へ遷移し、「ネットワークＰＣ」を選択すると「スキャンＴｏネットワークＰＣメニュー」へ遷移し、「ＰＣ」を選択すると「スキャンＴｏＰＣメニュー」へ遷移する。なお、「ＵＳＢメモリ」項目は、ＵＳＢポート２９にＵＳＢメモリ１０が取り付けられている場合のみ表示されている。
【００２２】
スキャンＴｏメニュー６１で「ＵＳＢメモリ」を選択して「スキャンＴｏＵＳＢメモリメニュー６２」へ遷移した場合には、新たにスキャンＴｏＵＳＢメモリメニュー６２が表示され、最上位行に「ＵＳＢメモリ」が表示された下に「ファイル名：Image.pdf」、「濃度：０」、「原稿サイズ」の項目が表示されており、更にその下に「原稿をセットしてスタートボタンを押してください」がガイダンス表示されている。
【００２３】
図７は、図５の操作画面におけるスキャンｔｏＵＳＢメモリの画面遷移の例を示す図である。
【００２４】
スキャンＴｏＵＳＢメモリメニュー７０は、画面の最上位行に「スキャンｔｏＵＳＢメモリ」が表示され、その下に現在の動作をあらわす「スキャン中」が表示され、更にその下に「ＵＳＢメモリを抜かないでください。」のガイダンスが表示されている。
【００２５】
原稿の読み取りが完了したならば、スキャンＴｏＵＳＢメモリメニュー７１の表示に遷移する。スキャンＴｏＵＳＢメモリメニュー７１は、スキャンＴｏＵＳＢメモリメニュー７０と同様に画面の最上位行に「スキャンｔｏＵＳＢメモリ」が表示され、その下に現在の動作をあらわす「スキャン完了」が表示され、更にその下にスキャンＴｏＵＳＢメモリメニュー７１とは異なり「原稿台の原稿を取り除いてください。」のガイダンスが表示されている。
【００２６】
原稿カバー３１が開閉され、原稿台３０に載置された原稿が取り除かれたとき、スキャンＴｏＵＳＢメモリメニュー７２の表示に遷移する。スキャンＴｏＵＳＢメモリメニュー７２は、スキャンＴｏＵＳＢメモリメニュー７０，７１と同様に画面の最上位行に「スキャンｔｏＵＳＢメモリ」が表示され、その下にスキャンＴｏＵＳＢメモリメニュー７０，７１とは異なり現在の動作をあらわす「ファイル保存完了」が表示され、更にその下に「ＵＳＢメモリは取り外し可能です。」のガイダンスが表示されている。
【００２７】
図８（ａ），（ｂ）は、図１のＵＳＢメモリに格納されたファイル名の例を示す図である。
【００２８】
図８（ａ）は、原稿読取後から原稿カバー３１開閉までの間にＵＳＢメモリ１０に格納されているファイルの例である。「原稿台に原稿が置かれています.txt」は、原稿を置き忘れていることを示唆するファイルである。
【００２９】
図８（ｂ）は、原稿読取後に原稿カバー３１を開閉したのちにＵＳＢメモリ１０に格納されているファイルの例である。「Image.pdf」は原稿の画像が記録されたファイルである。
【００３０】
（実施例１の動作）
図９は、本発明の実施例１における画像処理装置の動作を示すフローチャートである。
【００３１】
読取部２４で読み込んだ画像データをＵＳＢメモリ１０に保存する際は、ＵＳＢメモリ１０がＵＳＢポート２９に取り付けられ、原稿台３０に原稿がセットされ、かつ原稿カバー３１が閉じられていなければならない。
【００３２】
操作パネル４０の操作により、機能選択メニュー６０から「スキャン」が選択されたのち、「ＵＳＢメモリ」が選択されたならば、操作部２２は、表示装置４１にスキャンＴｏＵＳＢメモリメニュー６２のユーザ設定メニューを表示する。ここでファイル名、濃度、原稿サイズ等の画像ファイルに関する設定が可能だが、これらは初期設定値のままでよければ改めて設定される必要はない。続いて、スタートボタン４４が押下げられると、操作部２２は、制御部２１へスキャンＴｏＵＳＢメモリ機能が実行されたことを通知し、図９の処理が開始する。
【００３３】
ステップＳ１において、制御部２１は、操作部２２を介して表示装置４１に「ＵＳＢメモリを抜かないでください」を表示する。ステップＳ２において、制御部２１は、図示しない駆動部を駆動して、原稿台３０に沿って読取ヘッド５０を原稿読取の開始位置である左端に移動する。
【００３４】
ステップＳ３において、制御部２１は、読取ヘッド５０の光源５１を点灯して右方向へ走査し、画像の読取を開始する。光源５１が点灯すると、発生した光は、原稿台３０上に載置された原稿面に照射され、原稿面で反射する。原稿面からの反射光は、読取ヘッド５０内のミラー５２，５３によって反射された後、レンズ５４により集光される。そして、レンズ５４によって集光された光は、ＣＣＤセンサ５５によって光電変換される。ＣＣＤセンサ５５は、光電変換により、受光した光量によって電圧を発生させ、読取部２４の有するＡ／Ｄ（Analog  to  Digital）変換器によってデジタル値に変換される。すなわち、読取ヘッド５０で読み取った原稿の画像は、デジタル値に変換される。
【００３５】
ステップＳ４において、制御部２１は、図示しない駆動機構を介して、まだ読取ヘッド５０を、読み取っていない右側に向かって原稿台３０に沿って移動させ、原稿の画像を読み取ってデジタル値に変換しながら、読み取りが終了したか否かを判断する。読み取りの終了は、読み取り前に設定した原稿サイズに相当する走査が終了したか否かで判断する。すなわち、原稿台３０上にある原稿は、原稿サイズに相当する走査が行われることによって、原稿の全てが読み取られ、デジタル値に変換される。
【００３６】
原稿の読み取りが終了したならば、ステップＳ５において、制御部２１は、読取ヘッド５０の走査と読み取りを停止し、ステップＳ６において、ファイル生成部２５を介してメモリ部２８のＲＡＭ上に画像ファイルを生成する。
【００３７】
ステップＳ７において、制御部２１は、通信部２６を介してＵＳＢメモリ１０にファイル名「原稿台に原稿が置かれています.txt」のテキストファイルを生成し、格納する。このときのＵＳＢメモリ１０の内容は、図８（ａ）に示されている。ステップＳ８において、制御部２１は、操作部２２を介して表示装置４１に「原稿台の原稿を取り除いてください」の表示を行い、ステップＳ９において、原稿カバー開閉検出部２７より原稿カバー３１の開閉が行われたことの通知が行われたか否かを判断する。
【００３８】
原稿カバー開閉検出部２７が原稿カバー３１の開閉を検出すると、ステップＳ１０において、制御部２１は、メモリ部２８に一時保存してある画像ファイルを、通信部２６を介してＵＳＢメモリ１０に格納する。
【００３９】
ステップＳ１１において、制御部２１は、通信部２６を介してＵＳＢメモリ１０に格納されたテキストファイル「原稿台に原稿が置かれています.txt」を削除し、ステップＳ１２において、操作部２２を介して表示装置４１に「ＵＳＢメモリは取り外し可能です」の表示を行い、図９の処理を終了する。図９の処理を終了した後のＵＳＢメモリ１０の内容が図８（ｂ）に示されている。
【００４０】
（実施例１の効果）
本実施例１の画像処理装置２０によれば、原稿台３０にセットした原稿を取り除かないでＵＳＢメモリ１０を取り外した場合には、ＵＳＢメモリ１０には所望の画像ファイルは得られず、代わりにファイル名「原稿台に原稿が置かれています.txt」のテキストファイルが残るので、ユーザによって速やかに置き忘れ原稿の回収が行われるという効果が期待できる。
【実施例２】
【００４１】
（実施例２の構成）
図１０は、本発明の実施例２を示す画像処理装置における概略の回路構成図であり、実施例１を示す図１中の要素と共通の要素には共通の符号が付されている。
【００４２】
本実施例２における画像処理装置２０Ａは、実施例１の構成に加えて、更に、制御部２１の指示により周期的にＵＳＢメモリ１０をアクセスするデバイスアクセス部２３を備える他は、実施例１を示す図１の構成と同様である。
【００４３】
（実施例２の動作）
図１１は、本発明の実施例２における画像処理装置の動作を示すフローチャートであり、実施例１を示す図９中の要素と共通の要素には共通の符号が付されている。
【００４４】
処理を開始したのち、実施例１と同様に、ステップＳ１〜Ｓ７の処理が行われる。
【００４５】
ステップＳ２０において、制御部２１は、デバイスアクセス部２３へＵＳＢメモリ１０のアクセス開始を指示し、指示を受けたデバイスアクセス部２３は、アクセス停止の指示があるまで周期的にＵＳＢメモリ１０のアクセスを行い、ＵＳＢメモリ１０のアクセスランプ１２を点滅させる。
【００４６】
ステップＳ８，Ｓ９における処理は、実施例１と同様である。原稿カバー開閉検出部２７が原稿カバー３１の開閉を検出すると、ステップＳ２１において、制御部２１は、デバイスアクセス部２３へＵＳＢメモリ１０のアクセス停止を指示する。前記指示を受けたデバイスアクセス部２３は、ステップＳ２０から周期的に行っていたＵＳＢメモリ１０へのアクセスを停止させ、ＵＳＢメモリ１０のアクセスランプ１２を消灯させる。その後、実施例１と同様にステップＳ１０〜Ｓ１２の処理が行われる。
【００４７】
（実施例２の効果）
本実施例２の画像処理装置２０Ａによれば、原稿の読み取り動作が終了した時点から原稿を取り除くまでの間、ＵＳＢメモリ１０に付いているアクセスランプ１２が点滅するので、ユーザは画像ファイルの保存が完了していないと認識でき、よって原稿を置き忘れてしまうという問題を未然に防止できる効果を有している。
【実施例３】
【００４８】
（実施例３の構成）
図１２は、本発明の実施例３を示す画像処理装置における概略の回路構成図であり、実施例１を示す図１中の要素と共通の要素には共通の符号が付されている。
【００４９】
本実施例３における画像処理装置２０Ｂは、実施例１の構成の原稿カバー開閉検出部２７に代わり、原稿台３０に載置された原稿の有無を検出する原稿検出部２７Ｂを備える他は、実施例１を示す図１の構成と同様である。
【００５０】
（実施例３の動作）
図１３は、本発明の実施例３における画像処理装置の動作を示すフローチャートであり、実施例１を示す図９中の要素と共通の要素には共通の符号が付されている。
【００５１】
処理を開始したのち、実施例１と同様に、ステップＳ１〜Ｓ８の処理が行われる。ステップＳ９Ｂにおいて、制御部２１は、原稿検出部２７Ｂより原稿台３０から原稿が検出されなくなったことをことの通知が行われたか否かを判断する。その後、実施例１と同様に、ステップＳ１０〜Ｓ１２の処理が行われる。
【００５２】
（実施例３の効果）
本実施例３の画像処理装置２０Ｂによれば、原稿台３０にセットした原稿の有無を直接に検知するので、原稿カバー３１の開閉よりも更に正確に置き忘れ原稿の有無が判断できる。よって、ユーザによって速やかに置き忘れ原稿の回収が行われるという効果が期待できる。
【実施例４】
【００５３】
（実施例４の構成）
本発明の実施例４における画像処理装置の構成は、図１に示す実施例１の構成と同一である。
【００５４】
図１４（ａ），（ｂ）は、本発明の実施例４におけるＵＳＢメモリ１０に格納されたファイル名の例を示す図である。
【００５５】
図１４（ａ）は、原稿読取後に原稿カバー３１を開閉せずにＵＳＢメモリ１０を取り外したとき、ＵＳＢメモリ１０に格納されているファイルの例である。「原稿台に原稿が置かれています_Image.pdf」は、原稿台３０に原稿を置き忘れていることを示唆するファイル名を有する原稿の画像ファイルである。
【００５６】
図１４（ｂ）は、原稿読取後に原稿カバー３１を開閉してＵＳＢメモリ１０を取り外したとき、ＵＳＢメモリ１０に格納されているファイルの例である。「Image.pdf」は原稿の画像が記録されたファイルである。
【００５７】
（実施例４の動作）
図１５は、本発明の実施例４における画像処理装置の動作を示すフローチャートであり、実施例１を示す図９中の要素と共通の要素には共通の符号が付されている。
【００５８】
処理を開始したのち、実施例１と同様に、ステップＳ１〜Ｓ６の処理が行われる。
【００５９】
ステップＳ７Ｃにおいて、制御部２１は、通信部２６を介してＵＳＢメモリ１０にファイル名「原稿台に原稿が置かれています_Image.pdf」の画像ファイルを生成し、格納する。このときのＵＳＢメモリ１０の内容が、図１４（ａ）に示されている。
【００６０】
次に、実施例１と同様に、ステップＳ８〜Ｓ９における処理が行われるが、ステップＳ１０の処理は行われない。
【００６１】
ステップＳ１１Ｃにおいて、制御部２１は、通信部２６を介してＵＳＢメモリ１０に生成し、格納した「原稿台に原稿が置かれています_Image.pdf」画像ファイルのファイル名を、本来のファイル名「Image.pdf」にリネームする。このときのＵＳＢメモリ１０の内容が、図１４（ｂ）に示されている。
【００６２】
その後、実施例１と同様に、ステップＳ１２における処理が行われる。
【００６３】
（実施例４の効果）
本実施例４の画像処理装置２０によれば、実施例１の効果に加えて次の（Ａ），（Ｂ）に示す効果がある。
【００６４】
（Ａ）  原稿台３０にセットした原稿を取り除かないでＵＳＢメモリ１０を取り外した場合には、ＵＳＢメモリ１０には本来のファイル名「Image.pdf」等に「原稿台に原稿が置かれています」が付与されたファイル名「原稿台に原稿が置かれています_Image.pdf」の画像ファイルが残るので、どの原稿を置き忘れたかをユーザが認識できるという効果が得られる。
【００６５】
（Ｂ）  ファイルサイズが大きい為、ＵＳＢメモリ１０へ格納するには比較的時間が掛かる画像ファイルを、スキャン完了後に予めＵＳＢメモリ１０へ格納しておき、原稿カバー３１の開閉の後に、比較的時間の掛からないＵＳＢメモリ１０上の画像ファイルのリネームを行う。よって、原稿カバー３１の開閉後すみやかにＵＳＢメモリ１０がＵＳＢポート２９から取り外し可能となるという効果が得られる。
【００６６】
（変形例）
本発明は、上記実施例１〜４に限定されず、種々の利用形態や変形が可能である。この利用形態や変形例としては、例えば、次の（ａ）〜（ｃ）のようなものがある。
【００６７】
（ａ）  実施例１〜３では、原稿の置き忘れを示唆するテキストファイルを生成したが、このテキストファイルに、画像処理装置２０の個体識別番号や機種名や設置場所、又はスキャンした原稿のサイズや枚数等を記録してもよい。これにより、ユーザは画像処理装置２０に原稿を置き忘れた場合、どの画像処理装置２０に置き忘れたかを簡単に知ることができるという作用効果を奏する。
【００６８】
（ｂ）  実施例１〜４では、画像処理装置２０としてＭＦＰについて説明したが、本発明はＭＦＰに限定されず、原稿を読み取って画像ファイルを生成し、着脱可能な外部記憶装置に保存する機能を有する種々の画像処理装置に適用可能である。
【００６９】
（ｃ）  実施例１〜４では、外部記憶媒体としてＵＳＢメモリ１０の例を説明したが、他の着脱可能なフラッシュメモリ等の不揮発メモリ等を用いてもよい。
【符号の説明】
【００７０】
１０  ＵＳＢメモリ
１２  アクセスランプ
２０、２０Ａ，２０Ｂ  画像処理装置
２１  制御部
２３  デバイスアクセス部
２４  読取部
２５  ファイル生成部
２６  通信部
２７  原稿カバー開閉検出部
２７Ｂ  原稿検出部
２８  メモリ部
２９  ＵＳＢポート
３０  原稿台
３１  原稿カバー
８０、８０Ｃ  示唆ファイル
８１  画像ファイル
【図１】
2011160263.tif 000003
【図２】
2011160263.tif 000004
【図３】
2011160263.tif 000005
【図４】
2011160263.tif 000006
【図５】
2011160263.tif 000007
【図６】
2011160263.tif 000008
【図７】
2011160263.tif 000009
【図８】
2011160263.tif 000010
【図９】
2011160263.tif 000011
【図１０】
2011160263.tif 000012
【図１１】
2011160263.tif 000013
【図１２】
2011160263.tif 000014
【図１３】
2011160263.tif 000015
【図１４】
2011160263.tif 000016
【図１５】
2011160263.tif 000017